(57)【要約】【課題】板金の板厚が薄くなっても摺動部材が円滑に摺動（移動）可能な摺動機構、およびこの摺動機構を備える記録装置を提供する。【解決手段】主壁部２７に摺動可能に取り付けられた摺動部材３０が、移動するキャリッジ１８に当接して、当該キャリッジの移動とともに摺動する摺動機構であって、主壁部には、板金の板厚方向の表裏面と交差する端面と、当該端面を挟む板金の板厚方向の表裏面とが、キャリッジの移動方向に沿って延在する第１端縁部２１と第２端縁部２２が設けられ、摺動部材には、第１端縁部と第２端縁部の表裏面のそれぞれに対向しつつ第１端縁部と第２端縁部の延在方向に摺動可能な一対の摺動部が設けられ、第１端縁部と第２端縁部には、その表裏面の少なくとも一方の面側に、摺動する摺動部と対向し得る対向領域内において、板金の板厚方向に突出する第１突出面２１Ｓと第２突出面２２Ｓが形成されている。【選択図】図３
2015136794.tif 000002
【特許請求の範囲】
【請求項１】
板金に摺動可能に取り付けられた摺動部材が、被記録媒体に記録を行う記録部を支持しながら移動する移動体に当接して、当該移動体の移動とともに摺動する摺動機構であって、
前記板金には、当該板金の板厚方向の表裏面と交差する端面と、当該端面を挟む前記板金の板厚方向の表裏面とが、前記移動体の移動方向に沿って延在する端縁部が設けられ、
前記摺動部材には、前記端縁部の表裏面のそれぞれに対向しつつ前記端縁部の延在方向に摺動可能な一対の摺動部が設けられ、
前記端縁部には、当該端縁部の表裏面の少なくとも一方の面側に、摺動する前記摺動部と対向し得る対向領域内において、前記板金の板厚方向に突出する突出面が形成されている摺動機構。
【請求項２】
前記突出面は前記端縁部の延在方向に沿って形成されている請求項１に記載の摺動機構。
【請求項３】
前記突出面は、前記板金の折り曲げによって形成され、
前記端縁部の表裏面は、折り曲げられる前の前記板金の一方の板面と、折り曲げられる前の前記板金の端面である請求項１または２に記載の摺動機構。
【請求項４】
前記突出面は、前記板金の折り曲げによって形成され、
前記端縁部の表裏面は、折り曲げられる前の前記板金の一方の板面である請求項１または２に記載の摺動機構。
【請求項５】
前記突出面は、前記板金の折り曲げによって形成され、
前記端縁部の表裏面は、折り曲げられる前の前記板金の一方の板面と、折り曲げられる前の前記板金の他方の板面とである請求項１または２に記載の摺動機構。
【請求項６】
前記端縁部は、当該端縁部の表裏面のうち少なくとも一方の面に、前記摺動部材の摺動方向に沿って凹凸形状の前記突出面が設けられている請求項１から５のいずれか一項に記載の摺動機構。
【請求項７】
前記凹凸形状は、凹凸の周期が前記端縁部の延在方向における前記摺動部の長さよりも短い請求項６に記載の摺動機構。
【請求項８】
前記端縁部を第１端縁部とした場合、前記板金には、当該第１端縁部に隙間をあけて対峙する第２端縁部が設けられ、
前記摺動部材は、前記摺動部が、前記第１端縁部と前記第２端縁部の両方の表裏面に対向するように延在する請求項１から７のいずれか一項に記載の摺動機構。
【請求項９】
前記摺動部材は、前記端縁部の前記端面と対向する連結部によって、一対の前記摺動部が互いに繋がった一体形状を有する請求項１から８のいずれか一項に記載の摺動機構。
【請求項１０】
被記録媒体に記録を行う記録部と、
前記記録部を移動させる移動体と、
板金に摺動可能に取り付けられ、移動する前記移動体に当接して、当該移動体とともに摺動する摺動部材と、
請求項１から９のいずれか一項に記載の摺動機構と、
を備える記録装置。
【発明の詳細な説明】
【技術分野】
【０００１】
本発明は、板金に摺動可能に取り付けられた摺動部材が、被記録媒体に記録を行う記録部を支持しながら移動する移動体に当接して、当該移動体の移動とともに摺動する摺動機構、およびこの摺動機構を備える記録装置に関する。
【背景技術】
【０００２】
従来から、記録液（例えばインク）を噴射する記録部（例えば液体噴射ヘッド）を支持しながら一方向に沿って移動する移動体（キャリッジ）を備え、この移動体の移動中に被記録媒体（例えば用紙）に記録液を噴射して記録（印刷）を行う記録装置（例えばプリンター）が知られている。
【０００３】
このような記録装置において、移動体を移動可能に支持する支持フレームとしての板金に摺動可能に取り付けられた摺動部材が、移動する移動体に当接しながら移動体と一緒に移動（摺動）することによって、記録装置の動作を切り換える摺動機構を備えるものがある（例えば、特許文献１参照）。
【先行技術文献】
【特許文献】
【０００４】
【特許文献１】特開２０１３−１５８９８３号公報
【発明の概要】
【発明が解決しようとする課題】
【０００５】
この種の摺動機構には、例えば、金属製の板金に取り付けられた摺動部材が、摺動時に板金から外れることなく円滑に移動（摺動）するように、板金をその板厚方向の両側から挟むようにして摺動部材を取り付けた構造のものが知られている。すなわち、板金には、当該板金の板厚方向の表裏面と交差する端面と、当該端面を挟む板金の板厚方向の表裏面とが、移動体の移動方向に沿って延在する端縁部が設けられ、摺動部材には、その端縁部の表裏面のそれぞれに対向しつつ端縁部の延在方向に摺動可能な摺動部が一対設けられた構造である。
【０００６】
ところで、近年、記録装置の小型化や薄型化とともに、軽量化も行われている。この記録装置の軽量化の方法の一つとして、金属製の板金を薄くする方法がある。しかしながら、このような方法において、摺動部材は共通使用するために変更することが困難な場合がある。このような場合、摺動部が板金を板厚方向の両側から挟むようにして取り付けられた摺動部材は、端縁部の表裏面と摺動部との間の隙間が広くなってしまう。このため、摺動部材は、移動体と一緒に移動する際に板金との間に生ずる遊びによってがたつくことになり、円滑に摺動（移動）することができなくなるという課題がある。
【０００７】
なお、こうした実情は、板金に摺動可能に取り付けられた摺動部材が、被記録媒体に記録を行う記録部を支持しながら移動する移動体に当接して、当該移動体の移動とともに摺動する摺動機構、およびこの摺動機構を備える記録装置においては、概ね共通するものとなっていた。
【０００８】
本発明は、このような事情に鑑みてなされたものであり、その目的は、板金の板厚が薄くなっても摺動部材が円滑に摺動（移動）可能な摺動機構、およびこの摺動機構を備える記録装置を提供することにある。
【課題を解決するための手段】
【０００９】
以下、上記課題を解決するための手段及びその作用効果について記載する。
上記課題を解決する摺動機構は、板金に摺動可能に取り付けられた摺動部材が、被記録媒体に記録を行う記録部を支持しながら移動する移動体に当接して、当該移動体の移動とともに摺動する摺動機構であって、前記板金には、当該板金の板厚方向の表裏面と交差する端面と、当該端面を挟む前記板金の板厚方向の表裏面とが、前記移動体の移動方向に沿って延在する端縁部が設けられ、前記摺動部材には、前記端縁部の表裏面のそれぞれに対向しつつ前記端縁部の延在方向に摺動可能な一対の摺動部が設けられ、前記端縁部には、当該端縁部の表裏面の少なくとも一方の面側に、摺動する前記摺動部と対向し得る対向領域内において、前記板金の板厚方向に突出する突出面が形成されている。
【００１０】
この構成によれば、板金の板厚が薄くなっても、端縁部に形成された突出面により摺動部材と板金との間の隙間（遊び）を抑制して摺動時の摺動部材のがたつきを抑制することができる。したがって、摺動部材は円滑に摺動（移動）可能である。
【００１１】
上記摺動機構において、前記突出面は前記端縁部の延在方向に沿って形成されていることが好ましい。
この構成によれば、端縁部の延在方向に沿って摺動部と対向する突出面により、摺動部材は端縁部に沿って円滑に摺動（移動）可能である。
【００１２】
上記摺動機構において、前記突出面は、前記板金の折り曲げによって形成され、前記端縁部の表裏面は、折り曲げられる前の前記板金の一方の板面と、折り曲げられる前の前記板金の端面であることが好ましい。
【００１３】
この構成によれば、板金を略直角に折り曲げることによって端縁部を摺動部材の摺動に適した厚さに、容易に調節することができる。
上記摺動機構において、前記突出面は、前記板金の折り曲げによって形成され、前記端縁部の表裏面は、折り曲げられる前の前記板金の一方の板面であることが好ましい。
【００１４】
この構成によれば、板金の折り曲げによって端縁部を摺動部材の摺動に適した厚さに調節することができる。また、板金の表裏面のうち、摺動部が円滑に摺動可能な面側を、摺動部と対向する端縁部の表裏面とすることができるので、摺動部材は円滑に摺動（移動）可能である。
【００１５】
上記摺動機構において、前記突出面は、前記板金の折り曲げによって形成され、前記端縁部の表裏面は、折り曲げられる前の前記板金の一方の板面と、折り曲げられる前の前記板金の他方の板面とであることが好ましい。
【００１６】
この構成によれば、摺動部が対向する板金の板面側を変えることなく、板金の折り曲げによって端縁部を摺動部材の摺動に適した厚さに調節することができる。したがって、例えば摺動部と端縁部との間の摺動抵抗の変化を抑制することができる。
【００１７】
上記摺動機構において、前記端縁部は、当該端縁部の表裏面のうち少なくとも一方の面に、前記摺動部材の摺動方向に沿って凹凸形状の前記突出面が設けられていることが好ましい。
【００１８】
この構成によれば、凹凸形状の突出面によって摺動部材の摺動時の摺動抵抗を抑制するので、摺動部材は円滑に摺動（移動）可能である。
上記摺動機構において、前記凹凸形状は、凹凸の周期が前記端縁部の延在方向における前記摺動部の長さよりも短いことが好ましい。
【００１９】
この構成によれば、摺動部材の摺動時、常に複数の凹凸が摺動部と当接するので摺動部材は傾くことなく安定な姿勢で摺動（移動）可能である。
上記摺動機構において、前記端縁部を第１端縁部とした場合、前記板金には、当該第１端縁部に隙間をあけて対峙する第２端縁部が設けられ、前記摺動部材は、前記摺動部が、前記第１端縁部と前記第２端縁部の両方の表裏面に対向するように延在することが好ましい。
【００２０】
この構成によれば、例えば、開口の上下の端縁部などのように隙間をあけて設けられた第１端縁部と第２端縁部によって摺動部材の摺動を案内するので、摺動部材は円滑かつ安定して摺動（移動）可能である。
【００２１】
上記摺動機構において、前記摺動部材は、前記端縁部の前記端面と対向する連結部によって、一対の前記摺動部が互いに繋がった一体形状を有することが好ましい。
この構成によれば、例えば、成型加工によって一対の摺動部を同時に形成することができるので、一対の摺動部間の距離を精度よく形成することができる。したがって、摺動部材は円滑に摺動（移動）可能である。
【００２２】
上記課題を解決する記録装置は、被記録媒体に記録を行う記録部と、前記記録部を移動させる移動体と、板金に摺動可能に取り付けられ、移動する前記移動体に当接して、当該移動体とともに摺動する摺動部材と、上記構成の摺動機構と、を備える。
【００２３】
この構成によれば、記録装置において、摺動部材は円滑に摺動（移動）可能である。また、摺動機構のコストアップを抑制することができる。
【図面の簡単な説明】
【００２４】
【図１】記録装置の実施形態の一例としてのプリンターを示す斜視図。
【図２】プリンターが備える摺動機構に関わる部分を拡大した拡大斜視図。
【図３】摺動機構の構成部材を拡大して示す部分拡大斜視図。
【図４】摺動機構における摺動部材が関わる駆動切換機構の構成を示す斜視図。
【図５】（ａ）は摺動部材が取り付けられる板金の部分拡大斜視図、（ｂ）は（ａ）における５ｂ−５ｂ線矢視断面を含む板金の部分拡大斜視図。
【図６】摺動部材が板金に摺動可能に取り付けられる様子を示す斜視図。
【図７】板金に設けられた開口の端縁部に形成された突出面を示す図で、図６における７−７線矢視断面図。
【図８】開口の端縁部に形成される突出面の変形例を示す摺動機構の断面図。
【図９】板金の端縁部に形成される突出面の変形例を示す摺動機構の断面図。
【図１０】板金の端縁部に形成される突出面の変形例を示す摺動機構の断面図。
【図１１】（ａ）〜（ｃ）は板金の端縁部に形成される凹凸形状の突出面を示す断面図。
【発明を実施するための形態】
【００２５】
以下、記録装置の一例であるインクジェット式のプリンター（以下、単に「プリンター」と言う場合もある）の一実施形態について、図を参照しながら説明する。この実施形態のプリンターは、用紙などの被記録媒体にインクなどの記録液を噴射して記録を行う記録部と、この記録部を移動させる移動体としてのキャリッジを備え、キャリッジとともに移動する記録部から記録液を噴射して被記録媒体に画像等を印刷することによって記録を行う。
【００２６】
図１に示すように、本実施形態のプリンター１１は、筐体によって形成された略直方体形状の装置本体１２と、この装置本体１２とは鉛直方向の反重力方向（＋Ｚ方向）側となる上側に、図１において二点鎖線で示すように、別の筐体で設けられた略直方体形状の回転体としての画像読取ユニット１３と、を有している。画像読取ユニット１３は、装置本体１２の一端部側に設けられた回転軸１３ａを中心として、装置本体１２内を露出させる開状態の位置へ回転可能に備えられる。
【００２７】
また、本実施形態のプリンター１１は、画像読取ユニット１３の回転軸１３ａが設けられた一端部側とは反対の装置本体１２の他端部側において、プリンター１１での印刷に際して操作する操作パネル１４が設けられている。操作パネル１４には、メニュー画面等を表示するための表示部（例えば液晶ディスプレイ）１４ａや、プリンター１１の印刷（記録）動作に関するデータ入力を行う際に操作される複数のボタンなどの操作部材１４ｂを備える。
【００２８】
さて、プリンター１１は、操作パネル１４の重力方向（−Ｚ方向）側となる下側において装置本体１２に着脱可能に装着された用紙カセット１５に収容された用紙Ｐが、不図示の給紙ローラーによって装置本体１２内に形成された用紙Ｐの搬送路に送り出される。そして、その搬送路に沿って移動したのち、搬送ローラー６１などの回転ローラーによって一端部側から他端部側へ向かって搬送される。この搬送の途中において、装置本体１２内の支持台１６上に位置する用紙Ｐに対して印刷（記録）が行われ、印刷された用紙Ｐは、その搬送方向（＋Ｙ方向）の下流側となる装置本体１２の他端部側に設けられた排紙台１７へ排出される。
【００２９】
すなわち、装置本体１２には、インクを噴射可能な記録部としての液体噴射ヘッド（不図示）と、インクを収容するインク収容体としてのカートリッジ１９と、を搭載するキャリッジ１８が、用紙Ｐの搬送方向と交差する方向であって用紙Ｐの紙面に沿う走査方向（±Ｘ方向）に往復移動可能に備えられている。そして搬送ローラー６１などによって搬送される用紙Ｐに対して、用紙Ｐと対峙するキャリッジ１８の下面側に支持された液体噴射ヘッドからインクを噴射することによって印刷（記録）が行われる。
【００３０】
なお、本実施形態では、用紙Ｐの搬送方向下流側（図１において白抜き矢印で示す方向）を前方向（＋Ｙ方向）とも呼び、用紙Ｐの搬送方向とは逆方向を後方向（−Ｙ方向）とも呼ぶ。また、鉛直方向を上下方向（±Ｚ方向）とも呼ぶ。また、キャリッジ１８が往復移動する走査方向を左右方向（±Ｘ方向）とも呼ぶとともに、前方（＋Ｙ方向）側から見て右方向（＋Ｘ方向）または左方向（−Ｘ方向）と呼称することによって走査方向を区別することもある。
【００３１】
図２に示すように、キャリッジ１８は、装置本体１２内における支持台１６の上方（＋Ｚ方向）に設けられた主ガイド部材２０Ａと副ガイド部材２０Ｂとによって案内され、不図示の移動機構によって一方向つまり走査方向（±Ｘ方向）に移動可能とされている。
【００３２】
主ガイド部材２０Ａは、用紙Ｐの搬送方向と交差する走査方向（±Ｘ方向）を長手方向として、装置本体１２内に架設されている。この主ガイド部材２０Ａは、金属製の板金であって、キャリッジ１８の搬送方向上流側（−Ｙ方向側）において略鉛直方向（±Ｚ方向）に沿って立設する主壁部２７を有し、この主壁部２７の下端部において主ガイド部２８と補助ガイド部２９とを備える。主ガイド部２８は、板金が主壁部２７の下端部において搬送方向下流側（＋Ｙ方向側）に向かって略直角に折り曲げられ、その反重力方向（＋Ｚ方向）に向く上面が水平面と略平行に延びる帯状の平坦面として形成されている。補助ガイド部２９は、板金が主ガイド部２８の前端部から上方に向かって略直角に屈曲して形成されている。
【００３３】
一方、副ガイド部材２０Ｂは、キャリッジ１８の搬送方向下流側において、用紙Ｐの搬送方向と交差する走査方向（±Ｘ方向）を長手方向として、装置本体１２内に架設されている。副ガイド部材２０Ｂは、ここでは図示を省略するが、板金が略水平に伸びる帯状の平坦面として形成された副ガイド部と、その副ガイド部に対して板金が直角に折り曲げられた補助ガイド部とを備える。
【００３４】
そして、キャリッジ１８は、その搬送方向上流側（−Ｙ方向側）が主ガイド部材２０Ａの主ガイド部２８上に載置され、その搬送方向下流側（＋Ｙ方向側）が、副ガイド部材２０Ｂの副ガイド部上に載置された状態で、長手方向（走査方向）に沿って往復移動可能に備えられている。この左右方向（±Ｘ方向）に往復移動するキャリッジ１８に対して、その移動中に当接し、キャリッジ１８の移動とともに摺動する摺動部材３０が、主ガイド部材２０Ａの主壁部２７の所定の板金部分に対して摺動可能に取り付けられている。
【００３５】
本実施形態では、搬送ローラー６１の端部に固定された駆動歯車６２に噛み合う中間歯車６３を介して伝達される搬送ローラー６１の回転駆動を、給紙ローラーに伝達する状態と伝達しない状態との間で切り換える駆動切換機構５０が備えられている。そして、摺動部材３０は、キャリッジ１８と一緒に左右方向に移動することによって、駆動切換機構５０における回転駆動の伝達の切換動作を行う。
【００３６】
すなわち、図３に示すように、この摺動部材３０には、主壁部２７に設けられた開口ＫＫからキャリッジ１８側（表側）に一部が突出するように取り付けられた右側摺動部分３３と左側摺動部分３４とが、摺動部材３０における左右方向（±Ｘ方向）の両端にそれぞれ設けられている。そして、右側摺動部分３３のキャリッジ側に突出した部分には、キャリッジ１８側（表側）に延設して形成され、移動するキャリッジ１８が当接する当接部３１が設けられている。この当接部３１にキャリッジ１８が当接した摺動部材３０は、キャリッジ１８の移動とともに主壁部２７に沿って左右方向（±Ｘ方向）に移動（摺動）することによって、搬送ローラー６１と給紙ローラーとの間での回転駆動の伝達状態を切り換える駆動切換機構５０の一つの構成部材とされている。
【００３７】
図４に示すように、駆動切換機構５０を構成する摺動部材３０は、その上部において、キャリッジ１８が当接する当接部３１が設けられた表側とは反対の裏側に、カム構造体４２に設けられた不図示のカム溝を摺動するカムピン３２が設けられている。また摺動部材３０は、その下部において、伝達歯車６５を回転可能に保持する歯車保持部３６が設けられている。さらに、摺動部材３０は、その上部左端において引っ張りばねなどの付勢部材４１が係止され、その付勢部材４１によって図４において破線矢印で示すように常に走査方向の左側（−Ｘ方向側）に付勢されている。
【００３８】
駆動切換機構５０において、摺動部材３０にキャリッジ１８が当接していない状態では、伝達歯車６５は、付勢部材４１によって走査方向の左側（−Ｘ方向側）に付勢されて第１歯車６４および第２歯車６６の双方と噛み合う状態とされ、第１歯車６４と第２歯車６６との間での回転が互いに伝達される。従って、例えば、搬送ローラー６１の駆動に伴って回転する駆動歯車６２と噛み合う中間歯車６３を介して、第１歯車６４が回転駆動する場合、その回転が伝達歯車６５によって第２歯車６６伝達され、第２歯車６６が回転することによって給紙ローラーも駆動される。
【００３９】
一方、走査方向の右側（＋Ｘ方向側）に向かって移動するキャリッジ１８が摺動部材３０の当接部３１に当接した後は、図４において実線矢印で示すように、主壁部２７に取り付けられた摺動部材３０はキャリッジ１８と一緒に走査方向に沿って移動する。そして図４において二点鎖線で示すように、この摺動部材３０の移動に伴って歯車保持部３６が走査方向に沿って右側（＋Ｘ側）へ所定量移動すると、歯車保持部３６に保持された伝達歯車６５は、第１歯車６４および第２歯車６６の双方と噛み合わない状態とされ、第１歯車６４と第２歯車６６との間で回転が伝達されなくなる。従って、例えば、搬送ローラー６１の駆動に伴って第１歯車６４が回転しても、その回転は第２歯車６６に伝達されないので給紙ローラーは回転されない状態となる。
【００４０】
このように、摺動部材３０の走査方向における位置をキャリッジ１８の移動を利用して制御することによって、搬送ローラー６１と給紙ローラーとの間での駆動状態を切り替える。なお、ここでは詳細な説明を省略するが、摺動部材３０は、摺動部材３０に設けられたカムピン３２と、このカムピン３２に対して圧縮ばねなどの付勢部材４３によって付勢され、カムピン３２が当接しつつ摺動可能なカム溝が形成されたカム構造体４２と、からなるカム機構によって、その走査方向における移動位置が規制される構成とされている。
【００４１】
本実施形態のプリンター１１には、このように駆動切換機構５０の構成部材とされた摺動部材３０と、この摺動部材３０が取り付けられた主壁部２７との間において、主壁部２７の板金の板厚に関わらず摺動部材３０が円滑に摺動する摺動機構が構成されている。この摺動機構の構成について、図を参照して説明する。
【００４２】
図３および図５（ａ），（ｂ）に示すように、主ガイド部材２０Ａには、その主壁部２７の板金部分に、左右方向（±Ｘ方向）を長手方向とする略矩形の開口ＫＫが形成されている。したがって、主壁部２７には、この開口ＫＫの形成によって、開口ＫＫの下側の縁を形成する端面２１ｃを有する第１端縁部２１と、この第１端縁部２１に隙間をあけて対峙する開口ＫＫの上側の縁を形成する端面２２ｃを有する第２端縁部２２とが設けられる。そして、第１端縁部２１と第２端縁部２２の双方に、それらの端面２１ｃ，２２ｃの延在方向となる左右方向に沿って他の板金の板面部分よりも突出する第１突出面２１Ｓと第２突出面２２Ｓが、それぞれ突出面の一例として形成されている。
【００４３】
本実施形態では、第１突出面２１Ｓと第２突出面２２Ｓは、開口ＫＫの縁において、搬送方向上流側（−Ｙ方向側）からキャリッジ１８が位置する搬送方向下流側（＋Ｙ方向側）に板金が押し出された形状とされることによって、搬送方向下流側に向く板金の表面に形成されている。このような形状は、例えば金型プレスによる抜き加工において、材料を抜き落とさず半抜きの状態でプレスを停める所謂半抜き加工によって形成することが可能である。
【００４４】
また、主壁部２７には、いずれも開口ＫＫの長手方向（左右方向）と交差する上下方向（±Ｚ方向）をその長手方向とする第１矩形孔２３、第２矩形孔２４、および第３矩形孔２５が、上下両方向において開口ＫＫの縁よりもはみ出す大きさの孔形状で形成されている。そして、第１矩形孔２３は開口ＫＫの右側（＋Ｘ方向側）の縁に形成され、第３矩形孔２５は開口ＫＫの左側（−Ｘ方向側）の縁に形成されている。また、第２矩形孔２４は第１矩形孔２３から左方向へ所定寸法だけ離れた開口ＫＫの中央近辺に形成されている。
【００４５】
第１矩形孔２３と第２矩形孔２４は、左右方向の孔幅が、第３矩形孔２５よりも大きな幅とされ、摺動部材３０は、この第１矩形孔２３と第２矩形孔２４を介して主壁部２７の開口ＫＫに摺動可能に取り付けられる。また、図５（ｂ）に示すように、第１矩形孔２３の孔幅の中心と第２矩形孔２４の孔幅の中心との間の左右方向の距離は、寸法Ｌ１とされている。
【００４６】
図４および図６に示すように、摺動部材３０には、その上部において、第１端縁部２１および第２端縁部２２の表裏面のそれぞれに対向しつつ、第１端縁部２１および第２端縁部２２の延在方向に沿って摺動可能な一対の摺動部をそれぞれ有する右側摺動部分３３と左側摺動部分３４とが設けられている。
【００４７】
右側摺動部分３３は、主壁部２７の板金部分の表側に位置する表摺動部３７Ｒと、主壁部２７の板金部分の裏側に位置する裏摺動部３８Ｒとを一対の摺動部として有している。表摺動部３７Ｒは、第１端縁部２１の表面と第２端縁部２２の表面の両方に対向するように上下方向に延在して形成されている。また、裏摺動部３８Ｒが、第１端縁部２１の裏面と第２端縁部２２の裏面の両方に対向するように延在して形成されている。そして、表摺動部３７Ｒと裏摺動部３８Ｒとが、第１端縁部２１の端面２１ｃと対向する連結部３９Ｒによって互いに繋がった一体形状、つまり右方向（＋Ｘ方向）から見て略Ｈ字型の形状とされている。
【００４８】
一方、左側摺動部分３４は、主壁部２７の板金部分の表側に位置する表摺動部３７Ｌと、主壁部２７の板金部分の裏側に位置する裏摺動部３８Ｌとを一対の摺動部として有している。表摺動部３７Ｌは、第１端縁部２１の表面と第２端縁部２２の表面の双方に対向するように上下方向に延在して形成されている。また、裏摺動部３８Ｌが、第１端縁部２１の裏面と第２端縁部２２の裏面の双方に対向するように上下方向に延在して形成されている。そして、表摺動部３７Ｌと裏摺動部３８Ｌとが、第１端縁部２１の端面２１ｃと対向する連結部３９Ｌによって互いに繋がった一体形状、つまり左方向（−Ｘ方向）から見て略Ｈ字型の形状（図７参照）とされている。
【００４９】
本実施形態では、このような一対の摺動部が設けられた右側摺動部分３３と左側摺動部分３４とが、左右方向に所定の間隔をあけて摺動部材３０に設けられている。詳しくは、左右方向において、右側摺動部分３３の表摺動部３７Ｒの中心と左側摺動部分３４の表摺動部３７Ｌの中心との間は、第１矩形孔２３の孔幅の中心と第２矩形孔２４の孔幅の中心との間の左右方向の寸法と同じ寸法Ｌ１とされている。また、表摺動部３７Ｒおよび表摺動部３７Ｌの左右方向の寸法は、第１矩形孔２３および第２矩形孔２４の左右方向の寸法よりもそれぞれ小さい寸法で形成され、表摺動部３７Ｒおよび表摺動部３７Ｌの上下方向の寸法は、第１矩形孔２３および第２矩形孔２４の上下方向の寸法よりもそれぞれ小さい寸法で形成されている。したがって、右側摺動部分３３は、その表摺動部３７Ｒが主壁部２７の裏側から第１矩形孔２３に挿通可能であり、左側摺動部分３４は、その表摺動部３７Ｌが主壁部２７の裏側から第２矩形孔２４に挿通可能である。
【００５０】
そして、摺動部材３０の一部である右側摺動部分３３の表摺動部３７Ｒと左側摺動部分３４の表摺動部３７Ｌを、図６において二点鎖線の矢印で示すように、第１矩形孔２３と第２矩形孔２４にそれぞれ同時に挿通したのち左方向（−Ｘ方向）に移動させる。この移動によって、摺動部材３０は、連結部３９Ｒ，３９Ｌが第１端縁部２１と第２端縁部２２との間の開口ＫＫに挿入されるとともに、右側摺動部分３３および左側摺動部分３４が第１端縁部２１および第２端縁部２２を前後方向（±Ｙ方向）から挟んだ状態で主壁部２７に取り付けられる。
【００５１】
次に、本実施形態の摺動機構の作用について説明する。
図６および図７に示すように、主壁部２７に取り付けられた摺動部材３０は、右側摺動部分３３および左側摺動部分３４が第１端縁部２１および第２端縁部２２を前後方向（±Ｙ方向）から挟んだ状態で、開口ＫＫの長手方向に沿って左右方向へ移動する。この移動に際して、主壁部２７の板金の板厚が、例えば右側摺動部分３３の表摺動部３７Ｒと裏摺動部３８Ｒとの間の隙間よりも薄い場合であっても、形成された第１突出面２１Ｓおよび第２突出面２２Ｓによって摺動部材３０を円滑に摺動（移動）させる。もとより、第１突出面２１Ｓおよび第２突出面２２Ｓは摺動する表摺動部３７Ｒまたは裏摺動部３８Ｒと対向し得る対向領域内に形成される。
【００５２】
すなわち、図７に示すように、摺動部材３０は、左側摺動部分３４において、表摺動部３７Ｌの裏面３７Ｌａと裏摺動部３８Ｌの表面３８Ｌａとの間に、第２端縁部２２を挟む。したがって、第２端縁部２２は、主壁部２７のうちの少なくとも表摺動部３７Ｌの裏面３７Ｌａと裏摺動部３８Ｌの表面３８Ｌａとの間に挟まれる部分が相当する。
【００５３】
挟まれた第２端縁部２２は、主壁部２７の板金の表面２２ｂに設けられた第２突出面２２Ｓと主壁部２７の板金の裏面２２ａとが、その表裏面となることによって表裏面間の寸法が大きくなるため、第２端縁部２２の板厚が厚くなる。この結果、板厚が厚くなった第２端縁部２２は、左側摺動部分３４において、表摺動部３７Ｌの裏面３７Ｌａと裏摺動部３８Ｌの表面３８Ｌａとの間に、僅かな隙間（遊び）を有して挟まれる。
【００５４】
同様に、摺動部材３０は、右側摺動部分３３において、表摺動部３７Ｒの裏面３７Ｒａと裏摺動部３８Ｒの表面３８Ｒａとの間に、第２端縁部２２を挟む。したがって、第２端縁部２２は、主壁部２７のうちの少なくとも表摺動部３７Ｌの裏面３７Ｌａと裏摺動部３８Ｌの表面３８Ｌａとの間に挟まれる部分でもある。そして、板厚が厚くなった第２端縁部２２は、右側摺動部分３３において、表摺動部３７Ｒの裏面３７Ｒａと裏摺動部３８Ｒの表面３８Ｒａとの間に僅かな隙間（遊び）を有して挟まれる。
【００５５】
一方、左側摺動部分３４において、表摺動部３７Ｌの裏面３７Ｌｂと裏摺動部３８Ｌの表面３８Ｌｂとの間に、第１端縁部２１が挟まれる。したがって、第１端縁部２１は、主壁部２７のうちの少なくとも表摺動部３７Ｌの裏面３７Ｌｂと裏摺動部３８Ｌの表面３８Ｌｂとの間に挟まれる部分が相当する。
【００５６】
挟まれた第１端縁部２１は、主壁部２７の表面２１ｂに設けられた第１突出面２１Ｓと主壁部２７の裏面２１ａとが、それぞれ第１端縁部２１の表裏面となるので、主壁部２７は第１端縁部２１の表裏面間の寸法が大きくなり、第１端縁部２１における板厚が厚くなる。この結果、板厚が厚くなった第１端縁部２１は、左側摺動部分３４において、表摺動部３７Ｌの裏面３７Ｌｂと裏摺動部３８Ｌの表面３８Ｌｂとの間に、所定の隙間(遊び)を有して挟まれる。また、挟まれた第１端縁部２１は、開口ＫＫの縁となるその端面２１ｃが、左側摺動部分３４の連結部３９Ｌの下面３９Ｌｂに対して重力方向（−Ｚ方向）側から当接して、摺動部材３０を支持する。
【００５７】
同様に、右側摺動部分３３において、表摺動部３７Ｒの裏面３７Ｒｂと裏摺動部３８Ｒの表面３８Ｒｂとの間に、第１端縁部２１が挟まれる。したがって、第１端縁部２１は、主壁部２７のうち少なくとも表摺動部３７Ｌの裏面３７Ｌｂと裏摺動部３８Ｌの表面３８Ｌｂとの間に挟まれる部分でもある。そして、板厚が厚くなった第１端縁部２１は、右側摺動部分３３において、表摺動部３７Ｒの裏面３７Ｒｂと裏摺動部３８Ｒの表面３８Ｒｂとの間に所定の隙間（遊び）を有して挟まれる。また、挟まれた第１端縁部２１は、開口ＫＫの縁となるその端面２１ｃが、右側摺動部分３３の連結部３９Ｒの下面３９Ｒｂに対して重力方向（−Ｚ方向）側から当接して、摺動部材３０を支持する。
【００５８】
本実施形態では、摺動部材３０は、右側摺動部分３３および左側摺動部分３４において、第１端縁部２１との間の隙間（遊び）の方が、第２端縁部２２との間の隙間(遊び)よりも大きく設定されている。このように設定することによって、第１端縁部２１と第２端縁部２２とが左右方向に平行でなく捩れた部分が存在する場合、その捩れた部分を摺動部材３０が第２端縁部２２に沿って移動する際、摺動部材３０は第１端縁部２１との間に隙間が確保されつつ隙間の小さい第２端縁部２２の表裏面に沿って円滑に移動する。換言すれば、このように摺動部材３０が第２端縁部２２に案内されて円滑に移動できるように、一対の摺動部と、第１端縁部２１および第２端縁部２２との間の隙間（遊び）が設定される。
【００５９】
また、本実施形態では、キャリッジ１８が当接する摺動部材３０の当接部３１は、付勢部材４１が係止された左側とは反対側の右側摺動部分３３の表摺動部３７Ｒに設けられている。こうすることによって、当接部３１に加わるキャリッジ１８からの力と付勢部材４１から加わる力とが摺動部材３０を互いに引き合う方向に作用するので、摺動部材３０は摺動時におけるがたつきが抑制される。
【００６０】
以上説明した実施形態によれば以下の効果を得ることができる。
（１）主壁部２７の板金の板厚が薄くなっても、第１端縁部２１に形成された第１突出面２１Ｓおよび第２端縁部２２に形成された第２突出面２２Ｓにより、摺動部材３０と主壁部２７（板金）との間の隙間（遊び）を抑制して摺動時の摺動部材３０のがたつきを抑制することができる。したがって、摺動部材３０は円滑に摺動（移動）可能である。また、表摺動部３７Ｒ，３７Ｌと裏摺動部３８Ｒ，３８Ｌは板金との接触面積が第２突出面２２Ｓおよび第１突出面２１Ｓにより減少するので、摺動部材３０を移動させる際の摺動部材３０の移動負荷が減少する。また、主壁部２７は第１突出面２１Ｓおよび第２突出面２２Ｓが形成されることにより、第１端縁部２１および第２端縁部２２の板金強度が向上する。
【００６１】
（２）第１端縁部２１の延在方向に沿って表摺動部３７Ｒ，３７Ｌと対向する第１突出面２１Ｓ、および第２端縁部２２の延在方向に沿って表摺動部３７Ｒ，３７Ｌと対向する第２突出面２２Ｓにより、摺動部材３０は円滑に摺動（移動）可能である。
【００６２】
（３）例えば、開口ＫＫの上下の第１端縁部２１および第２端縁部２２などのように隙間をあけて設けられた第１端縁部と第２端縁部によって摺動部材の摺動を案内するので、摺動部材は円滑かつ安定して摺動（移動）可能である。
【００６３】
（４）摺動部材３０は、第１端縁部２１の端面２１ｃと対向する連結部３９Ｒ，３９Ｌによって、表摺動部３７Ｒ，３７Ｌと裏摺動部３８Ｒ，３８Ｌが互いに繋がった一体形状を有するので、例えば、成型加工によって一対の摺動部を同時に形成することができる。したがって、一対の摺動部間の距離を精度よく形成することができ、摺動部材は円滑に摺動（移動）可能である。
【００６４】
（５）プリンター１１において、摺動部材３０は円滑に摺動（移動）可能である。また、摺動機構のコストアップを抑制することができる。
なお、上記実施形態は、以下のような別の実施形態に変更してもよい。
【００６５】
・上記実施形態において、第１突出面２１Ｓおよび第２突出面２２Ｓの少なくとも一方は、必ずしも、プレス加工（半抜き加工）によって形成されなくてもよい。例えば、板金の折り曲げ加工によって、第１突出面２１Ｓを形成してもよいし第２突出面２２Ｓを形成してもよい。この変形例について、図を参照して説明する。なお本変形例において上記実施形態と同じ構成部材につては同符号を付し、ここでの説明は省略する。
【００６６】
図８に示すように、変形例として、摺動機構において、主壁部２７の板金を表側（＋Ｙ方向側）に略直角に折り曲げて第１端縁部２１および第２端縁部２２を形成する。すなわち、第１端縁部２１の裏面は、折り曲げられる前の板金の一方の板面つまり裏面２１ａであり、第１端縁部２１の表面つまり第１突出面２１Ｓは、折り曲げられる前の板金の端面２１ｃである。また、第２端縁部２２の裏面は、折り曲げられる前の板金の一方の板面つまり裏面２２ａであり、第２端縁部２２の表面つまり第２突出面２２Ｓは、折り曲げられる前の板金の端面２２ｃである。なお、摺動部材３０の連結部３９Ｌ，３９Ｒの下面３９Ｌｂ，３９Ｒｂと当接する第１端縁部２１の端面および第２端縁部の端面は、折り曲げられる前の板金の一方の板面つまり裏面２１ａおよび裏面２２ａである。
【００６７】
なお、本変形例において、主壁部２７の板金を裏側（−Ｙ方向側）に略直角に折り曲げて第１端縁部２１および第２端縁部２２を形成してもよい。もとより、この場合は、第１端縁部２１の端面および第２端縁部の端面は、それぞれ板金の表面２１ｂおよび表面２２ｂとされる。
【００６８】
この変形例によれば、上記実施形態の効果（１）〜（５）に加えて次の効果を得る。
（６）板金を略直角に折り曲げることによって第１端縁部２１および第２端縁部２２の少なくとも一方を摺動部材３０の摺動に適した厚さに容易に調節することができる。また、第１端縁部２１または第２端縁部２２は、板金が折り曲げられることにより曲げ強さが向上する。
【００６９】
あるいは、図９に示すように、変形例として、摺動機構において、主壁部２７の板金を前方側（＋Ｙ方向側）に折り返すように１８０度折り曲げて第１端縁部２１および第２端縁部２２を形成する。すなわち、第１端縁部２１の裏面は、折り曲げられる前の板金の一方の板面つまり裏面２１ａであり、第１端縁部２１の表面つまり第１突出面２１Ｓも、同じく折り曲げられる前の板金の一方の板面つまり裏面２１ａである。また、第２端縁部２２の裏面は、折り曲げられる前の板金の一方の板面つまり裏面２２ａであり、第２端縁部２２の表面つまり第２突出面２２Ｓも、同じく折り曲げられる前の板金の一方の板面つまり裏面２２ａである。そして、摺動部材３０の連結部３９Ｌ，３９Ｒの下面３９Ｌｂ，３９Ｒｂと当接する第１端縁部２１の端面も、折り曲げられる前の板金の一方の板面つまり裏面２１ａである。なお、本変形例では、第１端縁部２１および第２端縁部２２において折り返された板金部分は、折り返し後にプレスされて所望の板厚にされることが好ましい。
【００７０】
なお、本変形例において、主壁部２７の板金を裏側に折り返すように１８０度折り曲げて第１端縁部２１および第２端縁部２２を形成してもよい。もとより、この場合は、第１端縁部２１および第２端縁部２２の表裏面は、それぞれ板金の表面２１ｂおよび表面２２ｂとされる。
【００７１】
この変形例によれば、上記実施形態の効果（１）〜（５）に加えて次の効果を得る。
（７）板金を１８０度折り曲げることによって、第１端縁部２１および第２端縁部２２の少なくとも一方を摺動部材３０の摺動に適した厚さに調節することができる。また、主壁部２７の板金の表裏面のうち、表摺動部３７Ｒ，３７Ｌまたは裏摺動部３８Ｒ，３８Ｌが円滑に摺動可能な面側を第１端縁部２１または第２端縁部２２の表裏面とすることができるので、摺動部材３０は円滑に摺動（移動）可能である。また、第１端縁部２１または第２端縁部２２は、板金が折り曲げられることにより曲げ強さが向上する。
【００７２】
あるいは、図１０に示すように、変形例として、摺動機構において、主壁部２７の板金を前方側に山形状が突設されるように折り曲げて第１端縁部２１および第２端縁部２２を形成する。すなわち、第１端縁部２１の裏面は、折り曲げられる前の板金の一方の板面つまり裏面２１ａであり、第１端縁部２１の表面つまり第１突出面２１Ｓは、折り曲げられる前の板金の他方の板面つまり表面２１ｂである。また、第２端縁部２２の裏面は、折り曲げられる前の板金の一方の板面つまり裏面２２ａであり、第２端縁部２２の表面つまり第２突出面２２Ｓは、折り曲げられる前の板金の他方の板面つまり表面２２ｂである。そして、摺動部材３０の連結部３９Ｌ，３９Ｒの下面３９Ｌｂ，３９Ｒｂと当接する第１端縁部２１の端面も、折り曲げられる前の板金の端面２１ｃである。
【００７３】
この変形例によれば、上記実施形態の効果（１）〜（５）に加えて次の効果を得る。
（８）表摺動部３７Ｒ，３７Ｌおよび裏摺動部３８Ｒ，３８Ｌが対向する板金の板面側を変えることなく、板金の折り曲げによって第１端縁部２１および第２端縁部２２の少なくとも一方を摺動部材３０の摺動に適した厚さに調節することができる。したがって、例えば表摺動部３７Ｒ，３７Ｌまたは裏摺動部３８Ｒ，３８Ｌと、第１端縁部２１または第２端縁部２２との間の摺動抵抗の変化を抑制することができる。また、第１端縁部２１または第２端縁部２２端縁部は、板金が折り曲げられることにより曲げ強さが向上する。
【００７４】
・上記実施形態および変形例において、第１突出面２１Ｓおよび第２突出面２２Ｓのうち少なくとも一方は、キャリッジ１８が位置する搬送方向下流側（＋Ｙ方向側）から搬送方向上流側（−Ｙ方向側）へ板金が突出して形成されることによって、搬送方向上流側に向く板金の裏面２２ａに形成されてもよい。
【００７５】
・上記実施形態および変形例において、主壁部２７には、第１端縁部２１および第２端縁部２２の少なくとも一方において、その表裏面の少なくとも一方の面に、摺動部材３０の摺動方向に沿って凹凸形状の突出面が設けられている構成であってもよい。この変形例について、図を参照して説明する。なお、参照する図においては、主壁部２７および右側摺動部分３３（左側摺動部分３４）が模式的に図示されている。
【００７６】
図１１（ａ）に示すように、本変形例では、主壁部２７の第２端縁部２２において、図中白抜き矢印で示すように、その裏面２２ａ側および表面２２ｂ側の両側から交互に半抜き加工などによって板金を押し出し加工する。その結果、第２端縁部２２には、裏面２２ａ側に突出部２７Ａが、また表面２２ｂ側に突出部２７Ｂが、それぞれ左右方向（±Ｘ方向）に同じ寸法Ｈ２の周期で形成された、凹凸形状が設けられる。
【００７７】
本変形例では、突出部２７Ａの頂面および突出部２７Ｂの頂面が第２突出面２２Ｓとして機能する。したがって、突出部２７Ａと突出部２７Ｂとが形成された第２端縁部２２は、右側摺動部分３３において、表摺動部３７Ｒの裏面３７Ｒａと裏摺動部３８Ｒの表面３８Ｒａとの間に、適切な隙間（遊び）を有して挟まれる。また、左側摺動部分３４においても同様に、突出部２７Ａと突出部２７Ｂとが形成された第２端縁部２２は、左側摺動部分３４において、表摺動部３７Ｌの裏面３７Ｌａと裏摺動部３８Ｌの表面３８Ｌａとの間に、適切な隙間(遊び)を有して挟まれる。
【００７８】
なお、ここでは説明を省略するが、主壁部２７の第１端縁部２１についても同様に、その頂面が突出面として機能する突出部２７Ａの頂面および突出部２７Ｂが形成される。そして、第１端縁部２１は、右側摺動部分３３においては、その表摺動部３７Ｒの裏面３７Ｒｂと裏摺動部３８Ｒの表面３８Ｒｂとの間に、また左側摺動部分３４においては、その表摺動部３７Ｌの裏面３７Ｌｂと裏摺動部３８Ｌの表面３８Ｌｂとの間に、それぞれ適切な隙間（遊び）を有して挟まれる。
【００７９】
あるいは、図１１（ｂ）に示すように、主壁部２７の第２端縁部２２において、図中白抜き矢印で示すように、その裏面２２ａ側から寸法Ｈ２の間隔で、半抜き加工などによって板金を押し出し加工してもよい。この加工により、第２端縁部２２において、表面２２ｂ側に突出部２７Ｂが、左右方向（±Ｘ方向）に沿って寸法Ｈ２の周期で形成される。一方、第２端縁部２２の裏面２２ａは、押し出された部分以外の板金部分が左右方向（±Ｘ方向）に沿って寸法Ｈ２の周期で存在する。
【００８０】
この結果、本変形例では、突出部２７Ｂの頂面が第２突出面２２Ｓとして形成される。したがって、図１１（ａ）に示す変形例と同様に、突出部２７Ｂが形成された第２端縁部２２は、右側摺動部分３３において、表摺動部３７Ｒの裏面３７Ｒａと裏摺動部３８Ｒの表面３８Ｒａとの間に適切な隙間（遊び）を有して挟まれる。また、左側摺動部分３４においても、第２端縁部２２は左側摺動部分３４の表摺動部３７Ｌの裏面３７Ｌａと裏摺動部３８Ｌの表面３８Ｌａとの間に、適切な隙間(遊び)を有して挟まれる。さらに、主壁部２７の第１端縁部２１は、右側摺動部分３３においては、その表摺動部３７Ｒの裏面３７Ｒｂと裏摺動部３８Ｒの表面３８Ｒｂとの間に、また左側摺動部分３４においては、その表摺動部３７Ｌの裏面３７Ｌｂと裏摺動部３８Ｌの表面３８Ｌｂとの間に、それぞれ適切な隙間(遊び)を有して挟まれる。
【００８１】
あるいは、図１１（ｃ）に示すように、主壁部２７の第２端縁部２２において、図中白抜き矢印で示すように、その表面２２ｂ側から寸法Ｈ２の間隔で、半抜き加工などによって板金を押し出し加工してもよい。この加工により、第２端縁部２２において、裏面２２ａ側に突出部２７Ａが、左右方向（±Ｘ方向）に寸法Ｈ２の周期で形成される。一方、第２端縁部２２の表面２２ｂは、押し出された部分以外の板金部分が寸法Ｈ２の周期で存在する。
【００８２】
この結果、本変形例では、突出部２７Ａの頂面が第２突出面２２Ｓとして形成される。したがって、図１１（ａ）に示す変形例と同様に、突出部２７Ａが形成された第２端縁部２２は、右側摺動部分３３において、表摺動部３７Ｒの裏面３７Ｒａと裏摺動部３８Ｒの表面３８Ｒａとの間に適切な隙間（遊び）を有して挟まれる。また、左側摺動部分３４においても、第２端縁部２２は左側摺動部分３４の表摺動部３７Ｌの裏面３７Ｌａと裏摺動部３８Ｌの表面３８Ｌａとの間に適切な隙間(遊び)を有して挟まれる。さらに、主壁部２７の第１端縁部２１は、右側摺動部分３３においては、その表摺動部３７Ｒの裏面３７Ｒｂと裏摺動部３８Ｒの表面３８Ｒｂとの間に、また左側摺動部分３４においては、その表摺動部３７Ｌの裏面３７Ｌｂと裏摺動部３８Ｌの表面３８Ｌｂとの間に、それぞれ適切な隙間(遊び)を有して挟まれる。
【００８３】
この変形例によれば、上記実施形態の効果（１）〜（５）に加えて次の効果を得る。
（９）凹凸形状の突出面によって摺動部材３０の摺動時の摺動抵抗を抑制するので、摺動部材３０は円滑に摺動（移動）可能である。
【００８４】
さらに上記変形例において、第２端縁部２２（第１端縁部２１）に設けられた凹凸形状は、その凹凸の周期が第２端縁部２２（第１端縁部２１）の延在方向、すなわち左右方向（±Ｘ方向）における摺動部の長さよりも短いことが好ましい。
【００８５】
すなわち、図１１（ａ），（ｂ），（ｃ）に示すように、一対の摺動部としての表摺動部３７Ｒ（３７Ｌ）と裏摺動部３８Ｒ（３８Ｌ）は左右方向に寸法Ｈ１の長さを有して形成される。そして、第２端縁部２２（第１端縁部２１）に設けられた凹凸形状の突出面は、その凹凸の周期である寸法Ｈ２が、寸法Ｈ１よりも短く（小さく）形成される。
【００８６】
この変形例によれば、上記変形例の効果（９）に加えて次の効果を得る。
（１０）摺動部材３０の摺動時、常に複数の凹凸が表摺動部３７Ｒ（３７Ｌ）または裏摺動部３８Ｒ（３８Ｌ）と当接するので摺動部材３０は傾くことなく安定な姿勢で摺動（移動）可能である。
【００８７】
また、上記変形例において、第１端縁部２１および第２端縁部２２の少なくとも一方に設けられる凹凸形状は、押し出し加工ではなく板金の折り曲げによって形成しても差し支えない。例えば、プリンター１１の軽量化のため、主ガイド部材２０Ａにおいて主壁部２７の板金の厚さが薄くされた場合は、このように折り曲げによって、凹凸形状を第２端縁部２２（または第１端縁部２１）の一方の面もしくは両面に形成することが好ましい。この構成によれば、第２端縁部２２の表裏面間の板厚（または第１端縁部２１の表裏面間の板厚）を、広い寸法範囲で調節することが容易である。したがって、主壁部２７の板金部分が、例えば元の板厚の半分以下の板厚など相当に薄くされた場合でも、摺動部材３０を変更することなく、第１端縁部２１および第２端縁部２２の少なくとも一方において、その表裏面間の板厚を適切な厚さに形成することが可能である。
【００８８】
・上記実施形態において、第１突出面２１Ｓは、必ずしも、第１端縁部２１の延在方向（左右方向）に沿って形成されなくてもよい。あるいは、第２突出面２２Ｓは、必ずしも、第２端縁部２２の延在方向（左右方向）に沿って形成されなくてもよい。例えば、第１端縁部２１（第２端縁部２２）の延在方向（左右方向）の一部分、すなわちキャリッジ１８と一緒に移動する右側摺動部分３３および左側摺動部分３４の移動領域内においてのみ突出面が形成されてもよい。また、例えば摺動部材３０が回転移動する場合は、突出面は第１端縁部２１（第２端縁部２２）の延在方向とは異なる方向、つまり回転方向に設けられることが好ましい。
【００８９】
・上記実施形態において、摺動部材３０は、必ずしも、第１端縁部２１の端面２１ｃと対向する連結部３９Ｒ（３９Ｌ）によって一対の表摺動部３７Ｒ（３７Ｌ）と裏摺動部３８Ｒ（３８Ｌ）が互いに繋がった一体形状を有しなくてもよい。例えば、連結部３９Ｒ（３９Ｌ）は表摺動部３７Ｒ（３７Ｌ）あるいは裏摺動部３８Ｒ（３８Ｌ）とは別体で設けられてもよい。
【００９０】
・上記実施形態において、主壁部２７は、第１端縁部２１および第２端縁部２２のいずれか一方に突出面が形成される構成であってもよい。例えば、摺動部材３０が第１端縁部２１および第２端縁部２２の一方に対して摺動して左右方向に移動する構成の場合は、摺動部材３０が摺動する端縁部において突出面が形成されることによって、摺動部材３０を円滑に摺動させることが可能である。
【００９１】
・上記実施形態において、主壁部２７には、第１端縁部２１および第２端縁部２２のいずれか一方が設けられる構成であってもよい。この場合、右側摺動部分３３および左側摺動部分３４の少なくとも一方は、表摺動部３７Ｒ（３７Ｌ）と裏摺動部３８Ｒ（３８Ｌ）と連結部３９Ｒ（３９Ｌ）とが、左右方向から見てＣ字型の形状とされることが好ましい。こうすることによって、摺動部材３０を軽量化することができる。
【００９２】
・上記実施形態において、摺動部材３０は、右側摺動部分３３および左側摺動部分３４のいずれか一方の摺動部分を備える構成であってもよい。あるいは、右側摺動部分３３および左側摺動部分３４の２つの摺動部分間に別の摺動部分を形成して、３つ以上の摺動部分を備える構成であってもよい。
【００９３】
・液体噴射ヘッドから噴射する液体であるインクの供給元は、キャリッジ１８に装着される所謂オンキャリタイプのカートリッジ１９以外であってもよい。例えば、プリンター１１の装置本体１２の内部であってキャリッジ１８以外の箇所に設けられる所謂オフキャリタイプのインク収容体であってもよい。あるいは、装置本体１２の外部に設けられる所謂外付けタイプのインク収容体であってもよい。このようにすれば、キャリッジ１８に装着するタイプであるためにインクの容量に制約があるカートリッジ１９の場合に比べて、キャリッジ１８の外部に設けられるインク収容体を用いた場合はインクの容量を大きくできるので、より多くのインクの噴射を行うことが可能である。
【００９４】
なお、装置本体１２の外部に設けられたインク収容体から装置本体１２の内部の液体噴射ヘッドにインクを供給する場合には、インクを供給するためのインク供給チューブを装置本体１２の外部から内部へ引き回す必要がある。よって、この場合には、装置本体１２にインク供給チューブを挿通可能な孔や切り欠きを設けることが好ましい。あるいは装置本体１２の内部を開閉可能に設けられた画像読取ユニット１３などの回転体が装置本体１２に対して完全に閉じないようにするボスなどの規制部材を装置本体１２に設け、この規制部材で形成される隙間を通してインク供給チューブを装置本体１２の外部から内部へ引き回しても良い。このようにすれば、インク供給チューブのインク流路を用いた液体噴射ヘッドに対するインクの供給を容易に行うことができる。
【００９５】
・上記実施形態において、プリンター１１は回転体として画像読取ユニット１３以外のユニットを備えてもよい。例えば、回転体として、ＦＡＸ装置や無線通信などの通信装置を備えてもよい。
【００９６】
・上記実施形態において、記録装置としてのプリンター１１は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して印刷を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式印刷装置）であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００９７】
１１…プリンター（記録装置の一例）、２１…第１端縁部（端縁部の一例）、２１ｃ…端面、２１Ｓ…第１突出面（突出面の一例）、２２…第２端縁部（端縁部の一例）、２２ｃ…端面、２２Ｓ…第２突出面（突出面の一例）、３０…摺動部材、３９Ｌ，３９Ｒ…連結部。
【図１】
2015136794.tif 000003
【図２】
2015136794.tif 000004
【図３】
2015136794.tif 000005
【図４】
2015136794.tif 000006
【図５】
2015136794.tif 000007
【図６】
2015136794.tif 000008
【図７】
2015136794.tif 000009
【図８】
2015136794.tif 000010
【図９】
2015136794.tif 000011
【図１０】
2015136794.tif 000012
【図１１】
2015136794.tif 000013